(57)【特許請求の範囲】
【請求項１】
ワイヤレス通信のための方法であって、
ユーザエンティティが、測定を行うべき複数のセルのグループを決定することと、ここで、各グループは、少なくとも１つのセルを含み、前記複数のセルのグループは、異なる優先順位を有する、
測定を行うべきセルの総数を決定することと、
より高い優先順位のセルのグループがより短い測定インターバルを有する状態で、前記複数のセルのグループの各々の測定インターバルを決定することと、
セルのグループの各々の前記測定インターバルに基づいて前記複数のセルのグループの測定を行うことと、
どのセルがどのグループ内にあるかを、前記測定に基づいてアップデートすることと、
前記測定を行うべきセルの総数、または利用可能な測定時間、あるいは両方に基づいて、セルのグループの数を決定することと
を備える方法。
【請求項２】
前記複数のセルのグループは、最も高い優先順位のセルのグループが最も短い測定インターバルを有し、最も低い優先順位のセルのグループが最も長い測定インターバルを有する状態で、異なる測定インターバルを有する、請求項１に記載の方法。
【請求項３】
セルのグループの各々の前記測定インターバルは、設定可能であり、前記セルのグループのための複数の可能な測定インターバルから選択される、請求項１に記載の方法。
【請求項４】
前記複数のセルのグループの各々の前記測定インターバルを前記決定することは、前記測定を行うべきセルの総数、または前記利用可能な測定時間、またはセルのグループの数、あるいはそれらの組み合わせに基づいて、セルのグループの各々について前記測定インターバルを決定することを備える、請求項１に記載の方法。
【請求項５】
前記測定を行うべきセルの総数、または前記利用可能な測定時間、または前記セルのグループの各々の測定インターバル、あるいはそれらの組み合わせに基づいて、前記複数のセルのグループの各々内の前記セルの数を決定することをさらに備える、請求項１に記載の方法。
【請求項６】
前記複数のセルのグループを前記決定することは、複数のセルのセットに基づいて前記複数のセルのグループを決定することを備え、各セットは、少なくとも１つのセルを含み、前記セットに加入および離脱するセルの条件に関連付けられる、請求項１に記載の方法。
【請求項７】
前記複数のセルのグループの各々は、前記複数のセルのセットのうちの１つに対応する、請求項６に記載の方法。
【請求項８】
前記複数のセルのセットは、受信信号強度が少なくとも１つの条件を満たす第１のセルのセットを含む、請求項６に記載の方法。
【請求項９】
前記複数のセルのセットは、受信信号強度が、前記第１のセルのセットに含まれるための前記少なくとも１つの条件を満たさない、第２のセルのセットを含む、請求項８に記載の方法。
【請求項１０】
前記複数のセルのセットは、前記ユーザエンティティによって検出されたが前記ユーザエンティティによって未だ測定されていない第３のセルのセットを含む、請求項９に記載の方法。
【請求項１１】
各セットは、可変数のセルを含み、前記複数のセット内のセルの総数は、セルの所定の最大数に制限される、請求項６に記載の方法。
【請求項１２】
各セット内のセルの数は、次に低い優先順位のセット内のセルの数以下である、請求項６に記載の方法。
【請求項１３】
前記複数のセルのグループを前記決定することは、
ソートされた各セット内の前記少なくとも１つのセルが、最も高い優先順位から最も低い優先順位に配列される状態で、前記複数のセルのセットの各々をソートすることと、
前記複数のソートされたセルのセットが、リスト内で最も高い優先順位から最も低い優先順位に配列される状態で、前記複数のソートされたセルのセットを有するセルの前記リストを形成することと、
前記複数のセルのグループを前記セルのリストに基づいて形成することと
を備える、請求項６に記載の方法。
【請求項１４】
前記複数のセルのグループを前記決定することは、
最も高い優先順位から最も低い優先順位に複数のセルをソートすることと、
最も高い優先順位のグループから開始して一度につき１グループを形成するように、前記ソートされた複数のセルに基づいて、前記複数のセルのグループを形成することと、
を備える、請求項１に記載の方法。
【請求項１５】
測定のために、セルのグループの各々内の各セルを、前記セルのグループの前記測定インターバル内に少なくとも一度、スケジューリングすることをさらに備える、請求項１に記載の方法。
【請求項１６】
所定の量未満の基準信号を有するサブフレームではなく、少なくとも前記所定の量の基準信号を有するサブフレームにおいて、前記複数のセルのグループを、測定のためにスケジューリングすることをさらに備える、請求項１に記載の方法。
【請求項１７】
前記ユーザエンティティが不連続受信モードで動作する場合に、不連続受信サイクルの各々で、前記複数のセルのグループの中で最も高い優先順位のセルのグループを、測定のためにスケジューリングすることと、
前記ユーザエンティティが前記不連続受信モードで動作する場合に、不連続受信サイクルの各々でよりも低い頻度で、前記複数のセルのグループの中の残りのセルのグループの各々を、測定のためにスケジューリングすることと
をさらに備える、請求項１に記載の方法。
【請求項１８】
ワイヤレス通信のための装置であって、
ユーザエンティティによって測定を行うべき複数のセルのグループを決定するための手段と、ここで、各グループは、少なくとも１つのセルを含み、前記複数のセルのグループは、異なる優先順位を有する、
測定を行うべきセルの総数を決定するための手段と、
より高い優先順位のセルのグループがより短い測定インターバルを有する状態で、前記複数のセルのグループの各々の測定インターバルを決定するための手段と、
セルのグループの各々についての前記測定インターバルに基づいて、前記複数のセルのグループについて測定を行うための手段と、
どのセルがどのグループ内にあるかを、前記測定に基づいてアップデートするための手段と、
前記測定を行うべきセルの総数、または、利用可能な測定時間、あるいは両方に基づいて、セルのグループの数を決定するための手段と
を備える、装置。
【請求項１９】
前記複数のセルのグループは、最も高い優先順位のセルのグループが最も短い測定インターバルを有し、最も低い優先順位のセルのグループが最も長い測定インターバルを有する状態で、異なる測定インターバルを有する、請求項１８に記載の装置。
【請求項２０】
前記測定を行うべきセルの総数、または前記利用可能な測定時間、またはセルのグループの各々の前記測定インターバル、あるいはそれらの組み合わせに基づいて、前記複数のセルのグループの各々における前記セルの数を決定するための手段をさらに備える、請求項１８に記載の装置。
【請求項２１】
前記複数のセルのグループを前記決定するための手段は、複数のセルのセットに基づいて前記複数のセルのグループを決定するための手段を備え、各セットは、少なくとも１つのセルを含み、前記セットに加入および離脱するセルの条件に関連付けられる、請求項１８に記載の装置。
【請求項２２】
前記複数のセルのグループを前記決定するための手段は、
ソートされた各セット内の前記少なくとも１つのセルが、最も高い優先順位から最も低い優先順位に配列される状態で、前記複数のセルのセットの各々をソートするための手段と、
前記複数のソートされたセルのセットが、リスト内で最も高い優先順位から最も低い優先順位に配列される状態で、前記複数のソートされたセルのセットを有するセルの前記リストを形成するための手段と、
前記セルのリストに基づいて、前記複数のセルのグループを形成するための手段と
を備える、請求項２１に記載の装置。
【請求項２３】
前記複数のセルのグループを前記決定するための手段は、
最も高い優先順位から最も低い優先順位に複数のセルをソートするための手段と、
最も高い優先順位のグループから開始して一度に１グループを形成するように、前記ソートされた複数のセルに基づいて、前記複数のセルのグループを形成するための手段と
を備える、請求項１８に記載の装置。
【請求項２４】
ワイヤレス通信のための装置であって、
ユーザエンティティにより測定を行うべき複数のセルのグループを決定することと、ここで、各グループは、少なくとも１つのセルを含み、前記複数のセルのグループは、異なる優先順位を有する、
測定を行うべきセルの総数を決定することと、
より高い優先順位のセルのグループがより短い測定インターバルを有する状態で、前記複数のセルのグループの各々の測定インターバルを決定することと、
セルのグループの各々についての前記測定インターバルに基づいて、前記複数のセルのグループについて測定を行うことと、
どのセルがどのグループ内にあるかを、前記測定に基づいてアップデートすることと、
前記測定を行うべきセルの総数、または利用可能な測定時間、あるいは両方に基づいて、セルのグループの数を決定することと
を行うように構成された回路
を備える、装置。
【請求項２５】
前記複数のセルのグループは、最も高い優先順位のセルのグループが最も短い測定インターバルを有し、最も低い優先順位のセルのグループが最も長い測定インターバルを有する状態で、異なる測定インターバルを有する、請求項２４に記載の装置。
【請求項２６】
前記回路は、前記測定を行うべきセルの総数、または利用可能な測定時間、または前記セルのグループの各々の測定インターバル、あるいはそれらの組み合わせに基づいて、前記複数のセルのグループの各々における前記セルの数を決定するように構成される、請求項２４に記載の装置。
【請求項２７】
前記回路は、複数のセルのセットに基づいて、前記複数のセルのグループを決定するように構成され、各セットは、少なくとも１つのセルを含み、前記セットに加入および離脱するセルの条件に関連付けられる、請求項２４に記載の装置。
【請求項２８】
前記回路は、
各々のソートされたセット内の前記少なくとも１つのセルが、最も高い優先順位から最も低い優先順位に配列される状態で、前記複数のセルのセットの各々をソートすることと、
前記複数のソートされたセルのセットが、リスト内で最も高い優先順位から最も低い優先順位に配列される状態で、前記複数のソートされたセルのセットを有するセルの前記リストを形成することと、
前記セルのリストに基づいて前記複数のセルのグループを形成することと
を行うように構成される、請求項２７に記載の装置。
【請求項２９】
前記回路は、
最も高い優先順位から最も低い優先順位に複数のセルをソートすることと、
最も高い優先順位のグループから開始して一度に１グループを形成するように、前記ソートされた複数のセルに基づいて、前記複数のセルのグループを形成することと
を行うように構成される、請求項２４に記載の装置。
【請求項３０】
コンピュータ可読記憶媒体であって、
少なくとも１つのコンピュータに、ユーザエンティティにより測定を行うべき複数のセルのグループを決定させるためのコードと、ここで、各グループは、少なくとも１つのセルを含み、前記複数のセルのグループは、異なる優先順位を有する、
前記少なくとも１つのコンピュータに、測定を行うべきセルの総数を決定させるためのコードと、
前記少なくとも１つのコンピュータに、より高い優先順位セルのグループがより短い測定インターバルを有する状態で、前記複数のセルのグループの各々の測定インターバルを決定させるためのコードと、
前記少なくとも１つのコンピュータに、セルのグループの各々の前記測定インターバルに基づいて、前記複数のセルのグループについて測定を行わせるためのコードと
前記少なくとも１つのコンピュータに、どのセルがどのグループ内にあるかを、前記測定に基づいてアップデートさせるためのコードと、
前記少なくとも１つのコンピュータに、前記測定を行うべきセルの総数、または利用可能な測定時間、あるいは両方に基づいて、セルのグループの数を決定させるためのコードと
を備える、コンピュータ可読記憶媒体。
【発明の詳細な説明】
【技術分野】
【０００１】
[0001]  本開示は一般に通信に関し、より詳細には、ワイヤレス通信ネットワークにおいてセルの測定を行うための技法に関する。
【背景技術】
【０００２】
[0002]  ワイヤレス通信ネットワークは、音声、ビデオ、パケットデータ、メッセージング、ブロードキャスト、等、様々な通信コンテンツを提供するために広く展開されている。これらワイヤレスネットワークは、利用可能なネットワークリソースを共有することによって多数のユーザをサポートすることができる多元接続ネットワークでありうる。このような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一キャリアＦＤＭＡ（ＳＣ−ＦＤＭＡ）ネットワークが含まれる。
【０００３】
[0003]  ワイヤレス通信ネットワークは、多くのユーザエンティティのための通信をサポートすることができる多くのセルを含みうる。セルは、その単語が使用される文脈に依存して、基地局またはその基地局のカバレッジエリアを指しうる。ユーザエンティティは、サービングセルと通信し、隣接セルのカバレッジ内またはその近くに存在しうる。ユーザエンティティは、サービングセルよりも優れたセルが存在するか否かを判定するために、サービングセルおよび隣接セルの測定を周期的に行いうる。これは、例えば、ユーザエンティティがモバイルであり、ワイヤレスネットワークを動き回るケースに当てはまる。測定結果によって示されるように、より優れたセルが見つかると、ユーザエンティティは、現在のサービングセルから、次に新しいサービングセルとなるであろうより優れたサービングセルにハンドオーバされうる。
【０００４】
[0004]  セル測定は、ユーザエンティティおよびワイヤレスネットワークに優れた性能を確保にするために重要である。しかしながら、セル測定は、ユーザエンティティにおいて、貴重なリソース（例えば、処理リソースおよびバッテリ電力）を消費する。したがって、セルの測定を効率的な方法で行う技法が当技術分野において必要である。
【発明の概要】
【０００５】
[0005]  ワイヤレスネットワークにおいてセルの測定を効率的に行う技術が本明細書で開示される。ある態様において、測定されるべき複数のセルは、異なる優先順位を有するグループへと配列されうる。最も高い優先順位を有するグループは、より正確な測定結果を取得するために、より頻繁に、および／または、より多くのフィルタリングを用いて（with more filtering）測定されうるより強いセルを含みうる。徐々に低くなる優先順位を有するグループ（groups with progressively lower priorities）は、測定オーバーヘッドを低減させるために、より低い頻度で、および／または、より少ないフィルタリングを用いて測定されうる徐々に弱くなるセルを含みうる。
【０００６】
[0006]  一設計において、ユーザエンティティは、測定を行うべき複数のセルのグループ（a plurality of groups of cells）を決定しうる。各グループは、少なくとも１つのセルを含み、複数のグループは、異なる優先順位を有しうる。ユーザエンティティは、複数のグループの各々について測定インターバルを決定し得、より高い優先順位のグループがより短い測定インターバルを有する。ユーザエンティティは、測定のために、各グループ内の各セルを、そのグループの測定インターバル内に少なくとも一度（例えば、一度だけ）、スケジューリングしうる。ユーザエンティティは、各グループの測定インターバルに基づいて、複数のセルのグループについて測定を行いうる。
【０００７】
[0007]  ユーザエンティティは、セルのグループの数、または各グループ内のセルの数、または各グループの測定インターバル、および／または、ある他のパラメータを、測定すべきセルの総数、利用可能な測定時間、各セルの測定持続時間、等のような１つ以上の入力に基づいて決定しうる。一設計において、複数のグループは、異なる測定インターバルを有しうる。一設計において、各グループの測定インターバルは、設定可能であり、そのグループの複数の可能な測定インターバルから選択されうる。
【０００８】
[0008]  一設計において、ユーザエンティティは、複数のセルのセット（a plurality of sets of cells）を維持しうる。各セットは、少なくとも１つのセルを含み、セルがそのセットに加入するおよびそのセットから離脱する条件（conditions for cells entering and leaving the set）に関連付けられうる。一設計において、ユーザエンティティは、複数のセルのセットに基づいて、複数のセルのグループを決定しうる。一設計において、セルのグループの各々（each group of cells）は、１つのセルのセット（one set of cells）に対応しうる。別の設計において、セルのグループの各々は、１つ以上のセルのセット（one or more sets of cells）のすべてまたは一部を含みうる。さらに別の設計において、ユーザエンティティは、測定すべき複数のセルを優先順位付けすることで、複数のセルのセットを維持することなく、複数のセルのグループを決定しうる。ユーザエンティティはまた、複数のセルのグループを他の方法で決定しうる。
【０００９】
[0009]  本開示の様々な態様および特徴が以下でさらに詳細に説明される。
【図面の簡単な説明】
【００１０】
【図１】図１は、ワイヤレス通信ネットワークを示す。
【図２】図２は、ＵＥによって維持される４つのセルのセット（four sets of cells）についての状態図を示す。
【図３Ａ】図３Ａは、加入条件（entering condition）の例示的なプロットを示す。
【図３Ｂ】図３Ｂは、離脱条件（leaving condition）の例示的なプロットを示す。
【図４】図４は、セル測定を行うためのプロセスを示す。
【図５】図５は、セル測定を行うためのタイミング図を示す。
【図６】図６は、測定のためにスケジューリングすべきセルのグループの形成を示す。
【図７Ａ】図７Ａは、異なる数のセルについてセル測定をスケジューリングする３つの例のうちの１つを示す。
【図７Ｂ】図７Ｂは、異なる数のセルについてセル測定をスケジューリングする３つの例のうちの１つを示す。
【図７Ｃ】図７Ｃは、異なる数のセルについてセル測定をスケジューリングする３つの例のうちの１つを示す。
【図８Ａ】図８Ａは、異なる数のセルについて１つのスケジューリング期間にセル測定をスケジューリングする３つの例のうちの１つを示す。
【図８Ｂ】図８Ｂは、異なる数のセルについて１つのスケジューリング期間にセル測定をスケジューリングする３つの例のうちの１つを示す。
【図８Ｃ】図８Ｃは、異なる数のセルについて１つのスケジューリング期間にセル測定をスケジューリングする３つの例のうちの１つを示す。
【図９】図９は、セル測定を行うためのプロセスを示す。
【図１０】図１０は、セル測定を行うための装置を示す。
【詳細な説明】
【００１１】
[0021]  本明細書で説明される技法は、ＣＤＭＡ、ＴＤＭＡ、ＦＤＭＡ、ＯＦＤＭＡ、ＳＣ−ＦＤＭＡのような様々なワイヤレス通信ネットワークおよび他のネットワークに使用されうる。「ネットワーク」および「システム」という用語は、交換して使用されることが多い。ＣＤＭＡネットワークは、ユニバーサル地上無線アクセス（ＵＴＲＡ）（Universal Terrestrial Radio Access）、ｃｄｍａ２０００、等の無線技術を実現しうる。ＵＴＲＡは、広帯域ＣＤＭＡ（ＷＣＤＭＡ（登録商標））と、ＣＤＭＡの他の変形とを含む。ｃｄｍａ２０００は、ＩＳ−２０００、ＩＳ−９５、およびＩＳ−８５６規格をカバーする。ＴＤＭＡネットワークは、移動通信のためのグローバルシステム（ＧＳＭ（登録商標））のような無線技術を実現しうる。ＯＦＤＭＡネットワークは、次世代ＵＴＲＡ（Ｅ−ＵＴＲＡ）、ウルトラモバイルブロードバンド（ＵＭＢ）、ＩＥＥＥ ８０２.１１（Ｗｉ−Ｆｉ）、ＩＥＥＥ ８０２.１６（ＷｉＭＡＸ）、ＩＥＥＥ ８０２.２０、フラッシュＯＦＤＭ（登録商標）（Ｆｌａｓｈ−ＯＦＤＭ）等の無線技術を実現しうる。ＵＴＲＡおよびＥ−ＵＴＲＡは、ユニバーサル・モバイル通信システム（ＵＭＴＳ）の一部である。３ＧＰＰロングタームエボリューション（ＬＴＥ）およびＬＴＥアドバンスド（ＬＴＥ−Ａ）は、ダウンリンクではＯＦＤＭＡを、アップリンクではＳＣ−ＦＤＭＡを用いるＥ−ＵＴＲＡを使用するＵＭＴＳの新リリースである。ＵＴＲＡ、Ｅ−ＵＴＲＡ、ＵＭＴＳ、ＬＴＥ、ＬＥＴ−Ａ、およびＧＳＭは、「第３世代パートナーシッププロジェクト（３ＧＰＰ）」という名称の団体からの文書で説明されている。ｃｄｍａ２０００およびＵＭＢは、「第３世代パートナーシッププロジェクト２（３ＧＰＰ２）」という名称の団体からの文書で説明される。本明細書で説明される技法は、上述されたワイヤレスネットワークおよび無線技術、ならびに、別のワイヤレスネットワークおよび無線技術に使用されうる。明瞭さのために、これら技法の特定の態様は、ＬＴＥに関して以下に記述され、ＬＴＥ用語が以下の説明の大部分で使用されうる。
【００１２】
[0022]  図１は、ＬＴＥネットワークまたはある他のネットワークでありうるワイヤレス通信ネットワーク１００を示す。ワイヤレスネットワーク１００は、多くの発展型ノードＢ（ｅＮＢ）１１０および他のネットワークエンティティを含みうる。ｅＮＢは、ユーザ機器（ＵＥ）と通信するエンティティであり、基地局、ノードＢ、アクセスポイント、等とも呼ばれうる。各ｅＮＢ １１０は、特定の地理的エリアに対して通信カバレッジを提供し、このカバレッジエリア内に位置するＵＥのための通信をサポートしうる。ネットワーク容量を改善するために、ｅＮＢのカバレッジエリア全体は、多数の（例えば、３つの）より小さいエリアへと分割されうる。より小さいエリアの各々は、それぞれのｅＮＢサブシステムによってサービングされうる。３ＧＰＰにおいて、「セル」という用語は、ｅＮＢのカバレッジエリア、および／または、このカバレッジエリアにサービングするｅＮＢサブシステムを指しうる。３ＧＰＰにおいて、「セクタ」または「セル−セクタ」という用語は、基地局のカバレッジエリア、および／または、このカバレッジエリアにサービングする基地局サブシステムを指しうる。明瞭さのために、「セル」の３ＧＰＰ概念が以下の説明で使用される。
【００１３】
[0023]  ＵＥ １２０はワイヤレスネットワーク全体に分散しており、各ＵＥは固定またはモバイルでありうる。ＵＥは、モバイル局、端末、アクセス端末、加入者ユニット、局、等とも呼ばれうる。ＵＥは、セルラ電話、携帯情報端末（ＰＤＡ）、ワイヤレスモデム、ワイヤレス通信デバイス、スマートフォン、タブレット、ハンドヘルドデバイス、ラップトップコンピュータ、コードレス電話、ワイヤレスローカルループ（ＷＬＬ）局、ネットブック、スマートブック、等でありうる。ＵＥは、ダウンリンクおよびアップリンクを介してセルと通信しうる。ダウンリンク（すなわち順方向リンク）は、セルからＵＥへの通信リンクを指し、アップリンク（すなわち逆方向リンク）は、ＵＥからセルへの通信リンクを指す。図１において、両矢印の実線は、ＵＥとセルとの間のアクティブ通信を示す。片矢印の点線は、ＵＥによる、セルからのダウンリンク信号（例えば、同期信号および／または基準信号）の受信を示す。
【００１４】
[0024]  ワイヤレスネットワーク１００は、多くのセルを含みうる。ＵＥは、いかなる瞬間でも、多くのセルのカバレッジ内に存在しうる。これらセルのうちの１つが、ＵＥにサービングするために選択され、サービングセルと呼ばれうる。
【００１５】
[0025]  ＵＥは、周期的に測定し、ＵＥによって識別された上位Ｎ個の隣接セルを報告することが要求されうる。ここで、Ｎは、６、８、またはある他の値に等しい可能性がある。動的に変化する環境（例えば、ＵＥの可動性により）では、動的な方法で、新しいセルが現れ、既存のセルが次第に消え去りうる。結果として、ＵＥは、ＵＥが上位Ｎ個のセルを報告できることを確実にするために、Ｎ個よりもかなり多くのセルを測定する必要がありうる。しばらく前に（some time back）セルが検出されていないか弱すぎたことにより、セルがＵＥによって測定されなかった場合、そのセルは、その強度が増し上位Ｎ個のセルの一部となるべきである場合でも、検出されない可能性がある。上位Ｎ個のセルについての最新の測定結果を確保するために多数のセルを測定することは、ＵＥにおいて多量の処理およびバッテリリソースを要求し、それは、いくつかのＵＥ実現では利用不可能でありうる。
【００１６】
[0026]  ある態様において、測定されるべき複数のセルは、異なる優先順位を有する多数のセットへと配列されうる。一設計において、複数のセルは、それらの受信信号強度および／または他の基準に基づいて配列されうる。最も高い優先順位のセットは、より正確な測定結果を取得するために、より頻繁に、および／または、より多くのフィルタリングを用いて測定されうる最も強いセルを含みうる。徐々に低くなる優先順位のセットは、処理およびバッテリリソースを低減させるために、より低い頻度で、および／または、より少ないフィルタリングを用いて測定されうる徐々に弱くなるセルを含みうる。
【００１７】
[0027]  セットベースのセル測定スキームは、特定の利点を提供しうる。第１に、このスキームは、ことによると処理要件を大幅に増加させることなく、比較的多くの数のセルの測定を可能にしうる。第２に、このスキームは、より低い優先順位のセット内の弱いセルが、より高い優先順位のセットに遷移し、これにより、より頻繁にかつより正確に測定される機会を提供しうる。第３に、このスキームは、セル検出を改善し、より優れたハンドオーバ決定を提供しうる。測定されることができるセルの数が、報告されるべきセルの数よりもかなり多い場合、隣接セル検出の誤警報確率（a false alarm probability）は、増加しうる（すなわち、誤警報要件が緩和されうる）。これは、たとえ、より多くのスプリアスセル（spurious cells）が１つ以上のセットに含まれ、測定のためにスケジューリングされるということを犠牲にしても、より高い確率でより弱いセルを検出することに帰着しうる。ゆえに、セル検出およびセル測定を改善するために、より多くのセルを測定する能力が活用され、これは、より優れたハンドオフ決定に導きうる。このスキームはまた、他の利点を提供しうる。このスキームは、ＵＥにおいて処理要件を大幅に増加させることなくいつでもモバイル環境においてＮ個よりも著しく多くのセルを動的に追跡するためのフレームワークを提供しうる。
【００１８】
[0028]  一般に、任意の数のセルのセットが定義されうる。明瞭さのために、以下の説明の大半は、４つのセルのセットが定義され、表１にリストされる特定の設計についてのものである。  
【表１】
0005795451.tif 000002
【００１９】
[0029]  一般に、セルは、様々な基準に基づいてセットへと配列されうる。一設計において、セルは、ＬＴＥにおいて基準信号受信電力（reference signal received power）（ＲＳＲＰ）によって与えられうる受信信号強度に基づいて配列されうる。別の設計において、セルは、ＬＴＥにおいて基準信号受信品質（reference signal received quality）（ＲＳＲＱ）によって与えられうる受信信号品質に基づいて配列されうる。セルはまた、他の基準に基づいてセットに配列されうる。
【００２０】
[0030]  図２は、ＵＥについて、表１内の４つのセルのセットについての状態図２００の設計を示す。一設計において、ＡＳＥＴは、ＵＥのためのサービングセルだけを含み、ＡＳＥＴ内のセルの数は、ＮＡＳＥＴ＝１として与えられうる。サービングセルは、サービングセルからのダウンリング信号を復調するためのチャネル推定の一部として継続的に測定されうる。
【００２１】
[0031]  ＶＡＳＥＴは、十分に強いＲＳＲＰを有するセルを含み、それは、以下で説明されるような特定のイベント閾値に基づいて定量化されうる。ＶＡＳＥＴ内のセルは、ＵＥのハンドオーバのための最有力候補（prime candidates）でありえ、ゆえに、より頻繁に、および／または、より長い持続時間にわたって測定されうる。一設計において、ＶＡＳＥＴは、ＮＶＡＳＥＴと表されうる可変数のセル（a variable number of cells）を含みうる。
【００２２】
[0032]  ＣＳＥＴは、測定されたが、ＶＡＳＥＴに含まれるほど強くないセルを含みうる。ＣＳＥＴ内のセルは、ハンドオーバのためのイベントをトリガしていない。一設計において、ＣＳＥＴは、ＮＣＳＥＴと表されうる可変数のセルを含みうる。
【００２３】
[0033]  ＤＳＥＴは、ＵＥによって検出されているが、ＲＳＲＰが未だ測定されていないセルを含みうる。新たに検出されたセルは、ＤＳＥＴ内に配置され、続いて測定のためにスケジューリングされうる。一設計において、ＤＳＥＴは、ＮＤＳＥＴと表されうる可変数のセルを含みうる。
【００２４】
[0034]  一般に、各セットは、任意の数のセルを含み、一定数または可変数のセルを含みうる。上述された一設計において、ＶＡＳＥＴ、ＣＳＥＴ、およびＤＳＥＴは各々、可変数のセルを含みうる。一設計において、徐々に高くなる優先順位のセットは、徐々に少数となるセルを含み（すなわち、徐々に小さくなる濃度（progressively smaller cardinality）を有し）、それは、次のように表される：  
ＮＡＳＥＴ≦ＮＶＡＳＥＴ≦ＮＣＳＥＴ≦ＮＤＳＥＴ      式（１）
[0035]  式（１）の設計は、所与の量の処理リソースでより多くのセルが測定されることを可能にしうる。一設計において、すべてのセット内のセルの総数は、以下のとおり、ＮＭＡＸに制限されうる：  
ＮＡＳＥＴ＋ＮＶＡＳＥＴ＋ＮＣＳＥＴ＋ＮＤＳＥＴ≦ＮＭＡＸ      式（２）  
ここで、ＮＭＡＸは、１０、１５、２０、または他の値に等しい可能性がある。式（２）の設計は、セル測定に必要な処理リソースの量に上界を配置し（place an upper bound）うる。
【００２５】
[0036]  一般に、各セットは、任意の基準に基づいて選択されうるセルを含みうる。一設計において、セルは、受信信号強度またはＲＳＲＰに基づいて、各セットに対して選択されうる。一設計において、最も高い優先順位のセットから最も低い優先順位のセットに（from the highest to lowest priority sets）移動すると、セットのサイズは、一般に増加し、セット内のセルのＲＳＲＰは、一般に減少する。
【００２６】
[0037]  図２はまた、一設計にしたがった、４つのセルのセット間の例示的な遷移を示す。ＵＥは、特定の条件／基準が満たされた場合に、ＡＳＥＴ内の現在のサービングセルからＶＡＳＥＴ内の新しいサービングセルへのハンドオーバを実行しうる。次に、現在のサービングセルは、ＡＳＥＴからＶＡＳＥＴに遷移し、新しいサービングセルは、ＶＡＳＥＴからＡＳＥＴに遷移しうる。
【００２７】
[0038]  新たに検出されたセルは、ＤＳＥＴ内に配置されうる。ＤＳＥＴ内のセルは、ＲＳＲＰがこれらのセルについて測定されると、ＣＳＥＴに遷移しうる。ＣＳＥＴ内のセルは、以下で説明されるように、特定の「加入（entering）」条件が満たされると、ＶＡＳＥＴに遷移しうる。ＶＡＳＥＴ内のセルは、同様に以下で説明されるように、特定の「離脱（leaving）」条件が満たされると、ＣＳＥＴに遷移し戻りうる。ＣＳＥＴおよび／またはＤＳＥＴ内のセルは、特定の「離脱」条件が満たされると、取り除かれうる。
【００２８】
[0039]  異なるセルのセット（different sets of cells）間で遷移する条件は、遷移条件と呼ばれうる。遷移条件は、様々な方法で定義されうる。一設計において、遷移条件は、以下のイベントのうちの１つ以上に基づいて定義されうる：  
・イベントＡ１：サービングセルが閾値よりも優れたものになる  
・イベントＡ２：サービングセルが閾値よりも劣ったものになる  
・イベントＡ３：隣接セルがサービングセルよりもオフセット分（by an offset）優れたものになる  
・イベントＡ４：隣接セルが閾値よりも優れたものになる  
・イベントＡ５：サービングセルが、第１の閾値よりも劣ったものになり、隣接セルが第２の閾値よりも優れたものになる。
【００２９】
[0040]  他のイベントもまた、セルのセット間の遷移について定義され、使用されうる。各イベントは、加入条件および離脱条件（an entering condition and a leaving condition）に関連付けられうる。一設計において、イベントＡ１〜Ａ５についての加入条件は、イベントＡ１〜Ａ５についての加入基準（entering criteria）に基づいて定義され、それらは、以下のように定義されうる：  
・Ａ１−１：イベントＡ１についてのこの加入基準は、サービングセルのＲＳＲＰがＲＳＲＰレベルＴｈｒｅｓｈＡ１＋ＨｙｓＡ１を上回る場合に発生し、ここで、ＴｈｒｅｓｈＡ１は、閾値であり、ＨｙｓＡ１は、イベントＡ１のためのヒステリシスである  
・Ａ２−１：イベントＡ２についてのこの加入基準は、サービングセルのＲＳＲＰが、ＲＳＲＰレベルＴｈｒｅｓｈＡ２−ＨｙｓＡ２を下回る場合に発生し、ここで、ＴｈｒｅｓｈＡ２は、閾値であり、ＨｙｓＡ２は、イベントＡ２のためのヒステリシス（a hysteresis）である  
・Ａ３−１：イベントＡ３についてのこの加入基準は、隣接セルのＲＳＲＰがＲＳＲＰレベルＭｓ＋ＨｙｓＡ３＋ＯｓＡ３を上回る場合に発生し、ここで、Ｍｓは、サービングセルのＲＳＲＰであり、ＨｙｓＡ３は、イベントＡ３のためのヒステリシスであり、ＯＳＡ３は、イベントＡ３のためのオフセットである  
・Ａ４−１：イベントＡ４についてのこの加入基準は、隣接セルのＲＳＲＰがＲＳＲＰレベルＴｈｒｅｓｈＡ４＋ＨｙｓＡ４−ＯｓＡ４を下回る場合に発生し、ここで、ＴｈｒｅｓｈＡ４は、閾値であり、ＨｙｓＡ４は、ヒステリシスであり、ＯＳＡ４は、イベントＡ４のためのオフセットである  
・Ａ５−１：イベントＡ５についてのこの加入基準は、サービングセルのＲＳＲＰが第１のＲＳＲＰレベルＴｈｒｅｓｈＡ５１−ＨｙｓＡ５を下回り、隣接セルのＲＳＲＰが第２のＲＳＲＰレベルＴｈｒｅｓｈＡ５２＋ＨｙｓＡ５−ＯｓＡ５を上回る場合に発生し、ここで、ＴｈｒｅｓｈＡ５１は、閾値であり、ＨｙｓＡ５は、ヒステリシスであり、ＯＳＡ５は、イベントＡ５のためのオフセットである。
【００３０】
[0041]  イベントＡ１、Ａ２、Ａ４、およびＡ５についての加入基準は、絶対的なＲＳＲＰレベルに基づき、これらは、閾値に基づいて決定される。イベントＡ３についての加入基準は、相対的なＲＳＲＰレベルに基づき、これは、サービングセルのＲＳＲＰに基づいて決定される。ＲＳＲＰレベル、閾値、およびオフセットは、デシベル（ｄＢ）の単位で与えられうる。加入基準は、他の方法でも定義されうる。
【００３１】
[0042]  一設計において、加入条件は、タイムツートリガ（ＴＴＴ）（time-to-trigger）と呼ばれうる特定の時間期間の間における、特定のイベント（例えば、イベントＡ３、Ａ４、またはＡ５）についての加入基準の発生によって定義されうる。図２に示される設計において、セルは、そのセルについて、イベントＡ３、Ａ４、またはＡ５についての加入条件が満たされた場合、ＣＳＥＴからＶＡＳＥＴに移動されうる。
【００３２】
[0043]  図３Ａは、加入条件の例示的なプロットを示す。評価段階にあるセルのＲＳＲＰがプロット３１０で示される。加入基準（an entering criterion）は、セルのＲＳＲＰが閾値にヒステリシスを足したものに等しいＲＳＲＰレベルを超える時間Ｔ１で発生する。例えば、ＲＳＲＰレベルは、イベントＡ３の場合、Ｍｓ＋ＨｙｓＡ３＋ＯｓＡ３に等しくありうる。加入条件は、セルのＲＳＲＰが、時間期間ＴＴＴの間、ＲＳＲＰレベルを上回った状態を維持する時間Ｔ２で満たされうる。セルは、時間Ｔ２に、ＣＳＥＴからＶＡＳＥＴに移動されうる。
【００３３】
[0044]  一設計において、イベントＡ１〜Ａ５についての離脱条件は、イベントＡ１〜Ａ５についての離脱基準（leaving criteria）に基づいて定義され、それらは、以下のように定義されうる：  
・Ａ１−２：イベントＡ１についてのこの離脱基準は、サービングセルのＲＳＲＰがＲＳＲＰレベルＴｈｒｅｓｈＡ１−ＨｙｓＡ１を下回った場合に発生する  
・Ａ２−２：イベントＡ２についてのこの離脱基準は、サービングセルのＲＳＲＰがＲＳＲＰレベルＴｈｒｅｓｈＡ２＋ＨｙｓＡ２を上回った場合に発生する  
・Ａ３−２：イベントＡ３についてのこの離脱基準は、隣接セルのＲＳＲＰがＲＳＲＰレベルＭｓ−ＨｙｓＡ３＋ＯｓＡ３を下回った場合に発生する  
・Ａ４−２：イベントＡ４についてのこの離脱基準は、隣接セルのＲＳＲＰがＲＳＲＰレベルＴｈｒｅｓｈＡ４−ＨｙｓＡ４−ＯｓＡ４を下回った場合に発生する  
・Ａ５−２：イベントＡ５についてのこの離脱基準は、サービングセルのＲＳＲＰが第１のＲＳＲＰレベルＴｈｒｅｓｈＡ５１＋ＨｙｓＡ５を上回り、隣接セルのＲＳＲＰが第２のＲＳＲＰレベルＴｈｒｅｓｈＡ５２−ＨｙｓＡ５−ＯｓＡ５を下回った場合に発生する
[0045]  離脱基準は他の方法でも定義されうる。一設計において、離脱条件は、ＴＴＴ時間期間の間、特定のイベント（例えば、イベントＡ３、Ａ４、またはＡ５）についての離脱基準の発生によって定義されうる。図２に示される設計において、セルは、そのセルについて、イベントＡ３、Ａ４、またはＡ５についての離脱条件が満たされた場合に、ＶＡＳＥＴからＣＳＥＴに移動されうる。
【００３４】
[0046]  図３Ｂは、離脱条件の例示的なプロットを示す。評価段階にあるセルのＲＳＲＰがプロット３２０で示される。離脱基準（a leaving criterion）は、セルのＲＳＲＰが、閾値からヒステリシスを差し引いたものに等しいＲＳＲＰレベルよりも下がる時間Ｔ１で発生する。例えば、ＲＳＲＰレベルは、イベントＡ３の場合、Ｍｓ−ＨｙｓＡ３＋ＯｓＡ３に等しい可能性がある。離脱条件は、セルのＲＳＲＰが、時間期間ＴＴＴの間、ＲＳＲＰレベルを下回った状態を維持する時間Ｔ２で満たされうる。セルは、時間Ｔ２でＶＡＳＥＴからＣＳＥＴに移動されうる。
【００３５】
[0047]  一般に、加入基準および離脱基準のＲＳＲＰレベルは、良い性能が取得されうるように定義されうる。一設計において、加入基準のＲＳＲＰレベルおよび離脱基準のＲＳＲＰレベルは、上述されたように、ヒステリシスを用いて定義されうる。ヒステリシスは、セルについての測定されたＲＳＲＰの変動に起因してセルが異なるセット間を絶えず移動する尤度（likelihood）を低減させうる。
【００３６】
[0048]  図４は、セル測定を行うためのプロセス４００の設計を示す。プロセス４００は、ＵＥによって実行されうるか（以下に記述されるように）、または、ある他のエンティティによって実行されうる。プロセス４００は、各アップデート期間ＴＵＰＤＡＴＥで実行され、それは、一定のまたは設定可能な期間でありうる。例えば、ＴＵＰＤＡＴＥは、２０、４０、８０、または１６０ミリ秒（ｍｓ）、あるいはある他の持続時間に等しい可能性がある。
【００３７】
[0049]  各アップデート期間において、ＵＥは、すべてのセルについての最新の測定結果に基づいてセルのセットをアップデートしうる（ブロック４１２）。ＵＥは、セルのセットを、そのセットに対して適用可能な加入条件および／または離脱条件に基づいて、一度につき１つのセルのセットを評価しうる。所与のセット内の各セルについて、セルがそのセットを離脱する基準は、例えば、上述されたように、そのセルについての最新の測定結果に基づいて評価されうる。どの基準が満たされるかに依存して、セルは、そのセット内に留まるか、より高い優先順位のセットに上方移動するか、より低い優先順位のセットに下方移動するか、あるいは測定プロセスから外れうる（例えば、図２のＣＳＥＴ内のセルの場合）。
【００３８】
[0050]  ＵＥは、セルのセットの各々（each set of cells）のサイズ、測定に利用可能な時間量、ギャップの有無（the presence of absence of gaps）、ＵＥにおける処理リソースの量、等の様々な要因に基づいて、すべてのセルについて測定をスケジューリングしうる（ブロック４１４）。ギャップは、セルの測定が許可されない期間である。ＵＥは、すべての関連要因に基づいて、各セルまたはセルのセットの各々に特定量の測定時間を割り振りうる。ＵＥはまた、新しいセルの検出／探索をスケジューリングしうる（同様にブロック４１４）。ブロック４１４の出力は、（ｉ）以前に識別されたセルを測定するための測定スケジュール、および（ｉｉ）新しいセルを検出するための検出スケジュールを含みうる。
【００３９】
[0051]  ＵＥは、測定スケジュールに基づいて、すべてのセルのセットに対して測定とフィルタリングを実行しうる（ブロック４１６）。ＵＥは、各測定時間で各セルについてＲＳＲＰ値を取得し、前のＲＳＲＰ値を用いてこのＲＳＲＰ値をフィルタリングして、そのセルについてのフィルタリングされたＲＳＲＰ値を取得しうる。測定および／またはフィルタリングは、以下で説明されるように、異なるセルのセットに対して異なる方法で実行されうる。
【００４０】
[0052]  ＵＥはまた、検出スケジュールに基づいて、新しいセルの検出を実行しうる（ブロック４１８）。ＵＥは、セルによって周期的に送信されるプライマリ同期信号（primary synchronization signals）（ＰＳＳ）およびセカンダリ同期信号（secondary synchronization signals）（ＳＳＳ）を検出し、検出された各セルについて、そのセルから受信されたＰＳＳおよびＳＳＳに基づきセル識別（a cell identity）（ＩＤ）を取得しうる。ＵＥはまた、ＰＳＳおよび／またはＳＳＳに基づいて、検出された各セルの受信信号強度を測定しうる。ＵＥは、検出されたセルを最も強いものから最も弱いものにランク付けし、例えば、式（２）に示されるようなセルの全体的な総数を考慮する（account for）ことで、適切な数の新たに検出されたセルをＤＳＥＴに追加しうる。一設計において、検出されたセルの数（ＮＤＥＴ）が、式（２）を満たすようなものである場合、検出されたすべてのセルが、ＤＳＥＴに配置されうる。しかしながら、式（２）が満たされない場合、式（２）が満たされるように、１つ以上の検出されたセルがＤＳＥＴに配置されうる。例えば、新たに検出されたセルを１つも追加するスペースがない場合（例えば、ＤＳＥＴを除くすべてのセット内のセルの総数が、ＮＭＡＸに等しい場合）、検出されたＮＡＤＤ個の最も強いセルが、ＤＳＥＴに追加され、ＣＳＥＴ内のＮＡＤＤ個の最も弱いセルが取り除かれうる。ここで、ＮＡＤＤは、１、２、またはある他の値に等しい可能性がある。
【００４１】
[0053]  ＵＥは、一定のまたは設定可能な期間でありうる各検出期間ＴＤＥＴＥＣＴにおいて新しいセルの検出を実行しうる。例えば、ＴＤＥＴＥＣＴは、２０、４０、８０、１６０、または３２０ｍｓ、あるいはある他の持続時間に等しい可能性がある。アップデート期間が、検出期間の複数倍である場合、すなわちＴＵＰＤＡＴＥ＝Ｋ×ＴＤＥＴＥＣＴである場合、ＵＥは、このアップデート期間に探索をＫ回実行し、Ｋ回の探索の結果を適切な方法で組み合わせて、新しいセルを検出しうる。逆に、検出期間がアップデート期間の複数倍である場合、すなわち、ＴＤＥＴＥＣＴ＝Ｋ×ＴＵＰＤＡＴＥである場合、ＵＥは、Ｋ回のアップデート期間につき１回探索を実行しうる。
【００４２】
[0054]  一設計において、ＵＥは、各スケジューリング期間にセルの測定を適応的にスケジューリングしうる。各スケジューリング期間に対するスケジューリングは、以下のうちの１つ以上を提供しうる：  
・スケジューリング期間において測定すべきセルのリスト  
・測定インターバル  −  セルの測定間のインターバル  
・測定持続時間  −  セルについての測定の持続時間  
・フィルタリング期間  −  セルについてのフィルタリングの量を示す  
スケジューリングはまた、セル測定に使用すべき他のパラメータを提供しうる。
【００４３】
[0055]  一設計において、異なるセルのセットは、測定のための異なるパラメータ値のセットに関連付けられうる。徐々に高くなる優先順位のセットは、徐々に頻度が増す測定および／または徐々に多くなるフィルタイングに関連付けられうる。各セット内のセルは、そのセットに適用可能なパラメータ値のセットに基づいて、測定のためにスケジューリングされうる。各セットが可変数のセルを含むことができる場合、各セット内の可変数のセルを測定するために、可変量の処理リソースが使用されうる。
【００４４】
[0056]  別の設計において、測定されるべきセルは、多数のティア（multiple tiers）へと配列されうる。ティアはまた、グループ、等とも呼ばれうる。各ティアは、１つ以上のセット内のセルを含み、各ティア内のセルは、そのティアについてのパラメータ値のセットに基づいて測定されうる。異なるパラメータ値のセットは、異なるティアに対して使用されうる。ティアの使用は、各セット内の可変数のセルを測定することに対して一定量の処理リソースのより良い利用を可能にしうる。
【００４５】
[0057]  図５は、セル測定を行うためのタイミング図の設計を示す。セル測定のためのタイムラインは、各アップデート期間が特定の持続時間（例えば、８０、１６０、または３２０ｍｓ）をカバーするアップデート期間へと分割されうる。測定すべきセルのリストは、アップデート期間の持続時間の間、一定であり、アップデート期間の終了時にアップデートされうる。例えば、セルのティアは、各アップデート期間の開始時に定義され、セルのセットは、各アップデート期間の終了時にアップデートされうる。
【００４６】
[0058]  アップデート期間は、Ｓ個のスケジューリング期間を含み、ここで、Ｓは、１以上でありうる。セルのリストは、各スケジューリング期間に、測定のためにスケジューリングされうる。測定パラメータは、例えば、ギャップがスケジューリング期間に存在するか否かに依存して、スケジューリング期間ごとに変化し（change from scheduling period to scheduling period）うる。
【００４７】
[0059]  各スケジューリング期間は、ティアｍについてＬｍ個の測定インターバルを含み、ここで、Ｌｍは、１以上であり、ティアによって異なりうる。異なるティアは、以下で説明されるように、異なる測定インターバルに関連付けられうる。各ティア内のすべてのセルが、そのティアの測定インターバル内に測定されうる。各セルは、１ｍｓまたはある他の持続時間でありうる１つの測定持続時間内に測定されうる。
【００４８】
[0060]  一般に、セル測定スケジューリングは、より低い優先順位のセル（例えば、ティア２またはＣＳＥＴ内のセル）に特定の最小測定インターバルが割り振られることを確実にすると同時に、より高い優先順位のセル（例えば、ティア１またはＶＡＳＥＴ内のセル）に適切な測定インターバルを割り振りうる。ある例として、測定持続時間が１ｍｓである場合、より高い優先順位のセルの測定インターバルは、５ｍｓであり、最小測定インターバル（the minimum measurement interval）は、１０ｍｓでありうる。各アップデート期間でセルがフィルタリングされ、かつ、より低い優先順位のセルが、それらがより高い優先順位のセットの一部となる要件を満たす（qualify）まで、より低い測定精度（a lower measurement accuracy）を許容する（tolerate）ことが出来る場合に、適度な測定精度が達成されうる。
【００４９】
[0061]  一設計において、セル測定スケジューリング・アルゴリズムは、以下のうちの１つ以上を含みうる様々な入力を受信しうる：  
・ＲＳＲＰの観点でソートされた、測定すべきセルのリスト  
・各スケジューリング期間に測定すべきセルの総数（ＮＣＥＬＬ）  
・各スケジューリング期間で利用可能な測定時間（ＴＡＶＡＩＬ）  
・各ティアの測定インターバル  
スケジューリング・アルゴリズムは、ティアの数と、各ティア内のセルの数とを、入力に基づいて決定しうる。
【００５０】
[0062]  図６は、測定すべきセルのティアの決定を示す。各セット内のセルは、それらのＲＳＲＰに基づいて、最大ＲＳＲＰから最小ＲＳＲＰへとソートされうる。ソートされたＶＡＳＥＴは、セルＶ１が、最大ＲＳＲＰ（および最も高い優先順位）を有し、セルＶＮＶＡＳＥＴが、最小ＲＳＲＰ（および最も低い優先順位）を有する状態で、ＮＶＡＳＥＴ個のセルＶ１〜ＶＮＶＡＳＥＴを含みうる。ソートされたＣＳＥＴは、セルＣ１が、最大ＲＳＲＰを有し、セルＣＮＣＳＥＴが、最小ＲＳＲＰを有する状態で、ＮＣＳＥＴ個のセルＣ１〜ＣＮＣＳＥＴを含みうる。ソートされたＤＳＥＴは、セルＤ１が、最大ＲＳＲＰを有し、セルＤＮＤＳＥＴが、最小ＲＳＲＰを有する状態で、ＮＤＳＥＴ個のセルＤ１〜ＤＮＤＳＥＴを含みうる。
【００５１】
[0063]  セルのリストは、ソートされたすべてのセルのセットを含むように定義されうる。具体的には、リストは、ソートされたＶＡＳＥＴを含み、続いてソートされたＣＳＥＴを含み、続いてソートされたＤＳＥＴを含みうる。ソートすることは、異なるセルのセットにわたってではなく、セットごとに実行されうる。セルのリストはまた、測定されておらず、かつ、測定されているセルよりも低くランク付けされた新たに検出されたセルを含みうる。新たに検出されたセルは、ＰＳＳおよび／またはＳＳＳに基づいて測定されうる受信信号品質または受信信号強度によってソートされうる。
【００５２】
[0064]  図６に示される例において、セルのリストは、３つのティア１、２、および３に分割される。ティア１は、リスト内で最も高い優先順位（または最上位）のＮ１個のセルを含み、ティア２は、リスト内の次のＮ２個のセルを含み、ティア３は、リスト内の残りのＮ３個のセルを含む。ここで、Ｎ１、Ｎ２、およびＮ３は、各々、任意の適した値でありうる。リストはまた、より少ない数のティアまたはより多くの数のティアに分割されうる。ティアへのセルの分割により、各スケジューリング期間に、それらティアのうち１つの下で（under one of the tiers）、すべてのＮＣＥＬＬ個のセルが測定されることが確実になる。
【００５３】
[0065]  各スケジューリング期間で利用可能な測定時間は、ギャップの有無、スケジューリング期間がアップデート期間の最後の１つであるか否か、等のような様々な要因に依存しうる。最後のスケジューリング期間は、測定結果を処理しかつ、次のアップデート期間用にセルのセットをアップデートするためにいくらかの時間がリザーブされうるため、より短い利用可能な測定時間（a shorter available measurement time）を有しうる。一般に、利用可能な測定時間（ＴＡＶＡＩＬ）は、スケジューリング期間またはそれよりも短い期間に等しい可能性がある。以下の説明で想定されうる一設計において、４０ｍｓのスケジューリング期間のために利用可能な測定時間は、（ｉ）ギャップが存在しない場合でかつスケジューリング期間がアップデート期間の最後の１つではない場合４０ｍｓに等しく、あるいは、（ｉｉ）ギャップが存在する場合か、または、スケジューリング期間がアップデート期間の最後の１つである場合、３３ｍｓに等しい可能性がある。利用可能な測定時間はまた、ある他の持続時間であり得、それは一定または設定可能でありうる。
【００５４】
[0066]  一設計において、徐々に高くなる優先順位のティアは、徐々に短くなる測定インターバルに関連付けられうる。例えば、３つのティアが存在する場合、これら３つのティアの測定インターバルは、次のように表されうる：  
ＭＩ１＜ＭＩ２＜ＭＩ３            式（３）  
ここで、ＭＩ１は、最も高い優先順位のティア１の測定インターバルであり、ＭＩ２は、次に高い優先順位のティア２の測定インターバルであり、ＭＩ３は、最も低い優先順位のティア３の測定インターバルである。
【００５５】
[0067]  各ティアについて、利用可能な測測時間内におけるそのティア内の各セルの測定の数は、次のように表されうる：  
【数１】
0005795451.tif 000003
【００５６】
ここで、ＭＩｍは、ティアｍの測定インターバルであり、Ｌｍは、ティアｍ内の各セルの測定の数であり、ｆｌｏｏｒ（  ）は、フロア演算（a floor operation）を表す。
【００５７】
[0068]  一設計において、ティアの数は、測定すべきセルの総数に依存しうる。表２は、測定すべきセルの異なる総数についての（for different total number of cells to measure）、ティアの数と、各ティアの測定インターバルとをリストする。表２は、利用可能な測定時間が４０ｍｓである例示的な設計についてのものである。各ティア内のセルの数は、以下で説明されるように計算されうる。  
【表２】
0005795451.tif 000004
【００５８】
[0069]  表２に示される設計において、測定すべきセルが５個以下である場合に１つのティアが定義されうる。これは、表２の第１の行によって示される。
【００５９】
[0070]  表２に示される設計において、測定すべきセルの総数が５よりも大きく１５以下である場合に２つのティアが定義されうる。各ティアの測定インターバルは、表２の第２および第３の行で示されるように、測定すべきセルの総数に依存しうる。２つのティアの各々におけるセルの数（Ｎ１およびＮ２）は、以下の式を同時に解くことにより計算されうる：  
ＴＡＶＡＩＬ＝Ｌ１・Ｎ１＋Ｌ２・Ｎ２              式（５）  
ＮＣＥＬＬ＝Ｎ１＋Ｎ２                            式（６）
[0071]  表２に示される設計において、測定すべきセルの総数が１５よりも大きい場合に３つのティアが定義されうる。これは、表２の最終行で示される。３つのティアの各々におけるセルの数（Ｎ１、Ｎ２、およびＮ３）は、以下の式を同時に解くことにより計算されうる：  
ＴＡＶＡＩＬ＝Ｌ１・Ｎ１＋Ｌ２・Ｎ２＋Ｌ３・Ｎ３  式（７）  
ＮＣＥＬＬ＝Ｎ１＋Ｎ２＋Ｎ３                      式（８）  
Ｎ１＝５                                          式（９）
[0072]  明瞭さのために、セル測定スケジューリングのいくつかの例が以下で説明される。これら例において、アップデート期間は、１６０ｍｓであり、４０ｍｓであるスケジューリング期間を４つカバーする。ＴＡＶＡＩＬは、最初の３個のスケジューリング期間の各々の場合に４０ｍｓであり、最後のスケジューリング期間の場合に３３ｍｓである。
【００６０】
[0073]  図７Ａは、ＮＣＥＬＬ≦５であるケースについてのセル測定スケジューリングの例を示す。このケースにおいて、ＮＣＥＬＬ個のセルは、１つのティアに含まれうる。各セルは、各スケジューリング期間において５ｍｓの測定インターバルおよび８ｍｓの総測定時間でスケジューリングされうる。すべてのセルの測定結果は、最後のスケジューリング期間の終了時に処理され、セルのセットは、この測定結果に基づいてアップデートされうる。新しいセルの探索は、８０ｍｓごとに実行されうる。
【００６１】
[0074]  図７Ｂは、５＜ＮＣＥＬＬ≦１０であるケースについてのセル測定スケジューリングの例を示す。このケースにおいて、ＮＣＥＬＬ個のセルは、２つのティア１および２に分割されうる。ティア１内の各セルは、最初の３つのスケジューリング期間の各々において５ｍｓの測定インターバルおよび８ｍｓの総測定時間でスケジューリングされうる。ティア２内の各セルは、最初の３つのスケジューリング期間の各々において１０ｍｓの測定インターバルおよび４ｍｓの総測定時間でスケジューリングされうる。２つのティアの測定インターバルおよび各セルについての総測定時間は、３３ｍｓというより短い利用可能な測定時間（a shorter available measurement time for 33 ms）により最後のスケジューリング期間では低減されうる。セルのセットは、最後のスケジューリング期間の終了時に測定結果に基づいてアップデートされうる。新しいセルの探索は、８０ｍｓごとに実行されうる。
【００６２】
[0075]  １０＜ＮＣＥＬＬ≦１５であるケースは、図７Ｂにおける、５＜ＮＣＥＬＬ≦１０であるケースに類似しうる。ＮＣＥＬＬ個のセルは、両方のケースにおいて２つのティア１および２に分割されうる。しかしながら、各ティア内のセルの数、および、各スケジューリング期間における各ティア内の各セルについての総測定時間は、２つのケースについて異なりうる。
【００６３】
[0076]  図７Ｃは、１５＜ＮＣＥＬＬ≦２０であるケースについてのセル測定スケジューリングの例を示す。このケースにおいて、ＮＣＥＬＬ個のセルは、３つのティア１、２および３に分割されうる。最初の３つのスケジューリング期間の各々において、ティア１内の各セルは、１０ｍｓの測定インターバルおよび４ｍｓの総測定時間でスケジューリングされ、ティア２の各セルは、２０ｍｓの測定インターバルおよび２ｍｓの総測定時間でスケジューリングされ、ティア３の各セルは、４０ｍｓの測定インターバルおよび１ｍｓの総測定時間でスケジューリングされうる。３つのティアの測定インターバルおよび各セルについての総測定時間は、３３ｍｓというより短い利用可能な測定時間により最後のスケジューリング期間では低減されうる。セルのセットは、最後のスケジューリング期間の終了時に測定結果に基づいてアップデートされうる。新しいセルの探索は、８０ｍｓごとに実行されうる。
【００６４】
[0077]  図８Ａは、１つのティアがＮＣＥＬＬ≦５個のセルを含むケースのためのセル測定スケジューリングの設計を示す。４０ｍｓである１つのスケジューリング期間は、５ｍｓの測定インターバルを８個含みうる。各測定インターバルは、５つの測定スロットに分割され、最大で５つのセルが５つの測定スロットでスケジューリングされうる。各セルは、各測定インターバルに１回、スケジューリング期間に合計８回スケジューリングされる。
【００６５】
[0078]  図８Ｂは、２つのティア１および２が５＜ＮＣＥＬＬ≦１０個のセルを含むケースのためのセル測定スケジューリングの設計を示す。図８Ｂに示される例では、ＮＣＥＬＬ＝８であり、ティア１は、２つのセル１および２を含み、ティア２は、６つのセル３および８を含む。４０ｍｓである１つのスケジューリング期間は、ティア１については、５ｍｓの測定インターバルを８個含み、ティア２については、１０ｍｓの測定インターバルを４個含む。ティア１内のセルは、５ｍｓの測定インターバルの各々でスケジューリングされうる。ティア２内のセルは、ティア２内のセルの半分が１０ｍｓの測定インターバルの前半（first half）でスケジューリングされ、ティア２内のセルの残りの半分が、１０ｍｓ測定インターバルの後半（second half）でスケジューリングされる状態で、１０ｍｓの測定インターバルの各々でスケジューリングされうる。ティア１内の各セルは、５ｍｓの測定インターバルの各々で１回、スケジューリング期間に合計８回スケジューリングされる。ティア２内の各セルは、１０ｍｓの測定インターバルの各々で１回、スケジューリング期間に合計４回スケジューリングされる。
【００６６】
[0079]  図８Ｃは、３つのティア１、２、および３が１５＜ＮＣＥＬＬ≦２０個のセルを含むケースのためのセル測定スケジューリングの設計を示す。図８Ｃで示される例では、ＮＣＥＬＬ＝２０であり、ティア１は、５つのセル１〜５を含み、ティア２は、５つのセル６〜１０を含み、ティア３は、１０個のセル１１〜２０を含む。４０ｍｓである１つのスケジューリング期間は、ティア１については、１０ｍｓの測定インターバルを４個含み、ティア２については、２０ｍｓの測定インターバルを２個含み、ティア３については、４０ｍｓの測定インターバルを１個含む。ティア１内のセルは、１０ｍｓの測定インターバルの各々の前半でスケジューリングされうる。ティア２内のセルは、２０ｍｓの測定インターバルの各々の第２番目の４分の１（second quarter）でスケジューリングされうる。ティア３内のセルの半分は、４０ｍｓの測定インターバルの第４番目の８分の１（fourth eighth）でスケジューリングされ、ティア３内のセルの残りの半分は、４０ｍｓの測定インターバルの最後の８分の１（last eight）でスケジューリングされうる。ティア１内の各セルは、１０ｍｓの測定インターバルの各々で１回、スケジューリング期間に合計４回スケジューリングされる。ティア２内の各セルは、２０ｍｓの測定インターバルの各々で１回、スケジューリング期間に合計２回スケジューリングされる。ティア３内の各セルは、４０ｍｓの測定インターバルに一回スケジューリングされうる。
【００６７】
[0080]  図７Ａ〜８Ｃは、セル測定スケジューリングの例示的な設計を示す。セルのティアまたはセルのセットの測定のためのスケジューリングは、他の方法でも実行されうる。
【００６８】
[0081]  ＵＥは、セルによって送信された様々な信号に基づいて各セルを測定しうる。例えば、ＵＥは、セル固有基準信号（a cell-specific reference signal）（ＣＲＳ）、プライマリ同期信号（ＰＳＳ）、セカンダリ同期信号（ＳＳＳ）、ある他の信号、または、それらの組み合わせに基づいて各セルを測定しうる。基準信号は、送信機および受信機によってアプリオリ（a priori）に知られている信号であり、パイロット信号と呼ばれうる。ＣＲＳは、例えば、セル識別（ＩＤ）に基づいて生成された、セルに固有の基準信号である。同期信号は、セル検出およびセル捕捉をサポートするために、セルによって送信された信号である。ＣＲＳ、ＰＳＳ、およびＳＳＳは、異なる方法で、かつ、異なる周期性で送信されうる。例えば、ＬＴＥでは、ＣＲＳは、各サブフレームで送信され、ＰＳＳおよびＳＳＳは、５つのサブフレームごとに送信されうる。
【００６９】
[0082]  ＬＴＥにおいて、セルは、（ｉ）１２個または１４個のシンボル期間をカバーする通常のサブフレーム（a regular subframe）の４つのシンボル期間に２つのアンテナポートから、または、（ｉｉ）通常サブフレームの６つのシンボル期間に４つのアンテナポートから、ＣＲＳを送信しうる。セルはまた、（ｉ）１２個のシンボル期間をカバーするマルチメディアブロードキャスト単一周波数ネットワーク（a multimedia broadcast single frequency network）（ＭＢＳＦＮ）サブフレームの１つのシンボル期間に２つのアンテナポートから、または、（ｉｉ）ＭＢＳＦＮサブフレームの２つのシンボル期間に４つのアンテナポートから、ＣＲＳを送信しうる。測定精度は、ＣＲＳが送信されるシンボル期間の数に依存しうる。ゆえに、一設計において、セルの測定は、通常のサブフレームでのみ実行され、ＭＢＳＦＮサブフレームでは実行されない。ＬＴＥにおいて、１０ｍｓの無線フレームは各々、０から９のインデックスを備えた１０個のサブフレームを含む。ＬＴＥでは、周波数分割複信（ＦＤＤ）の場合、サブフレーム０、４、５、および９は、ＭＢＳＦＮサブフレームに使用不可能であり、時分割複信（ＴＤＤ）の場合、サブフレーム０および５がＭＢＳＦＮサブフレームに使用不可能である。一設計において、セルは、通常のサブフレームとして知られているサブフレーム０、４、５、および９で、測定のためにスケジューリングされうる。別の設計において、ＭＢＳＦＮサブフレームは、セルによってブロードキャストされたシステム情報に基づいて決定され、各セルについての測定は、そのセルのためのＭＢＳＦＮサブフレームではないサブフレーム上でスケジューリングされうる。
【００７０】
[0083]  別の設計において、より高い優先順位のセル（例えば、ティア１および２またはＶＡＳＥＴおよびＣＳＥＴ内のセル）は、通常のサブフレームで、測定のためにスケジューリングされうる。より低い優先順位のセル（例えば、ティア３またはＤＳＥＴ内のセル）は、通常のサブフレームおよびＭＢＳＦＮサブフレームで、測定のためにスケジューリングされうる。
【００７１】
[0084]  ＵＥは、ＵＥが、短い持続時間の間、各ＤＲＸサイクルにおいて周期的にウェイクアップする（wake up）不連続受信（a discontinuous reception）（ＤＲＸ）モードで動作しうる。ＤＲＸモードで動作する間、セル測定を低減させ、バッテリ電力を節約する（conserve）ことが望まれうる。一設計において、ＵＥは、各ＤＲＸサイクルでティア１内のセルを測定し、複数のＤＲＸサイクルにわたってラウンドロビン方式でティア２および３内のセルを測定しうる。例えば、ティア２内のセルは、２つのＤＲＸサイクルに１回の割合で（every other DRX cycle）測定され、ティア３内のセルは、３つのＤＲＸサイクルに１回の割合で（every third DRX cycle）測定されうる。よって、より高い優先順位のセルは、ＤＲＸモードでより頻繁に測定されうる。
【００７２】
[0085]  一設計において、ＵＥは、関心のある各隣接セルの物理ブロードキャストチャネル（a physical broadcast channel）（ＰＢＣＨ）を復号して、その隣接セルの送信アンテナの数といった特定のステム情報を取得しうる。この情報は、より正確なＲＳＲＰ測定値を取得するために使用されうる。ＵＥは、処理オーバーヘッドを低減させるために、限定された数の隣接セルのＰＢＣＨを復号しうる。
【００７３】
[0086]  図９は、セル測定を行うためのプロセス９００の設計を示す。プロセス９００は、以下に示されるようにユーザエンティティ（例えば、ＵＥ）によって、または、ある他のエンティティによって実行されうる。ユーザエンティティは、測定を行うべき複数のセルのグループを決定しうる（ブロック９１２）。各グループは、少なくとも１つのセルを含み、複数のグループは、異なる優先順位を有しうる。複数のセルのグループは、例えば、上述されたように、異なるセルのティアに対応しうる。ユーザエンティティは、より高い優先順位のセルのグループ（higher priority groups of cells）がより短い測定インターバルを有する状態で、複数のセルのグループの各々の測定インターバルを決定しうる（ブロック９１４）。ユーザエンティティは、セルのグループの各々内の各セルを、そのセルのグループの測定インターバル内に少なくとも一度（例えば、一回だけ）、測定のためにスケジューリングしうる（ブロック９１６）。ユーザエンティティは、セルのグループの各々の測定インターバルに基づいて、複数のセルのグループについて測定を行いうる（ブロック９１８）。ユーザエンティティは、セルごとに、受信信号強度（例えば、ＲＳＲＰ）、または受信信号品質（ＲＳＲＱ）、あるいは両方について測定を行いうる。
【００７４】
[0087]  一設計において、複数のセルのグループは、異なる測定インターバルを有しうる。最も高い優先順位のグループは、最も短い測定インターバルを有し、最も低い優先順位のグループ（the lowest priority group）は、最も長い測定インターバルを有しうる。一設計において、各グループの測定インターバルは、設定可能であり、そのグループについての複数の可能な測定インターバルから選択されうる。
【００７５】
[0088]  一設計において、ユーザエンティティは、測定を行うべきセルの総数を決定しうる。次に、ユーザエンティティは、測定を行うべきセルの総数、または利用可能な測定時間、またはある他の情報、あるいはそれらの組み合わせに基づいて、セルのグループの数を決定しうる。一設計において、ユーザエンティティは、測定を行うべきセルの総数、または利用可能な測定時間、またはセルのグループの数、またはある他の情報、あるいはそれらの組み合わせに基づいてセルのグループの各々の測定インターバルを決定しうる。一設計において、ユーザエンティティは、測定を行うべきセルの総数、または利用可能な測定時間、またはセルのグループの各々の測定インターバル、またはそれらの組み合わせに基づいて、各グループ内のセルの数を決定しうる。一般に、ユーザエンティティは、セルのグループの数、または各グループ内のセルの数、または各グループの測定インターバル、またはある他のパラメータ、あるいはそれらの組み合わせを、測定を行うべきセルの総数、利用可能な測定時間、各セルの測定持続時間、等の１つ以上の入力に基づいて決定しうる。
【００７６】
[0089]  一設計において、ユーザエンティティは、複数のセルのセットを維持しうる。各セットは、少なくとも１つのセルを含み、セルがセットに加入および離脱する条件に関連付けられうる。一設計において、複数のセルのセットは、受信信号強度が少なくとも１つの条件を満たすセルの第１のセット（例えば、ＶＡＳＥＴ）を含みうる。複数のセルのセットは、受信信号強度が、第１のセルのセット（first set of cells）に含まれるための少なくとも１つの条件を満たさない、第２のセルのセット（second set of cells）（例えば、ＣＳＥＴ）を含みうる。複数のセルのセットはさらに、ユーザエンティティによって検出されたが、ユーザエンティティによって未だ測定されていない第３のセルのセット（third set of cells）（例えば、ＤＳＥＴ）を含みうる。複数のセルのセットはまた、より少ない数の、より多い数の、または異なるセルのセットを含む可能性があり、それは、他の方法で定義されうる。一設計において、各セットは、可変数のセルを含みうる。一設計において、複数のセット内のセルの総数は、セルの所定の最大数に制限されうる。複数のセルのセットはまた、他の特性を有しうる。
【００７７】
[0090]  ユーザエンティティは、複数のセルのグループを様々な方法で決定しうる。一設計において、ユーザエンティティは、複数のセルのセットに基づいて、複数のセルのグループを決定しうる。一設計において、セルのグループの各々は、１つのセルのセットに対応しうる。別の設計において、セルのグループの各々は、１つ以上のセルのセット（one or more sets of cells）のすべてまたは一部を含みうる。図６に示された設計の場合、ユーザエンティティは最初に、ソートされた各セット内の少なくとも１つのセルが最も高い優先順位から最も低い優先順位へと（例えば、最も高いＲＳＲＰから最も低いＲＳＲＰへと）配列される状態で、複数のセルのセットの各々をソートしうる。次に、ユーザエンティティは、複数のソートされたセルのセットが、リスト内で最も高い優先順位から最も低い優先順位に配列される状態で（with the plurality of sorted sets of cells being arranged from highest priority to lowest priority in the list.）、複数のソートされたセルのセットを有するセルのリストを形成しうる。次に、ユーザエンティティは、セルのリストに基づいて、複数のセルのグループを形成しうる。ユーザエンティティは、最も高い優先順位のグループから開始して、一度に１つのセルのグループを形成しうる。各グループについて、ユーザエンティティは、そのグループへの包含のために、リストのトップから開始して十分な数のセルを選択しうる。
【００７８】
[0091]  さらに別の設計において、ユーザエンティティは、複数のセルのセットを維持することなく、複数のセルのグループを決定しうる。ユーザエンティティは、例えば、受信信号強度、または受信信号品質、および／または、各セルについてのある他の数量に基づいて、最も高い優先順位から最も低い優先順位に、測定すべき複数のセルをソートしうる。次に、ユーザエンティティは、ソートされた複数のセルに基づいて複数のセルのグループを形成、例えば、最も高い優先順位のグループから開始して一度に１グループを形成しうる。ユーザエンティティはまた、複数のセルのグループを他の方法で決定しうる。
【００７９】
[0092]  一設計において、ユーザエンティティは、所定の量未満の基準信号を有するサブフレーム（例えば、ＭＢＳＦＮサブフレーム）ではなく、少なくとも所定の量の基準信号を有するサブフレーム（例えば、通常のサブフレーム）において、測定に対して複数のセルのグループをスケジューリングしうる。
【００８０】
[0093]  一設計において、ユーザエンティティは、ＤＲＸモードで動作しうる。ユーザエンティティは、各ＤＲＸサイクルで、測定に対して、最も高い優先順位を有するセルのグループ（group of cells with the highest priority）をスケジューリングしうる。ユーザエンティティは、各ＤＲＸサイクルの場合よりも少ない頻度で（less frequently than in each DRX cycle）、例えば、第Ｑ番目のＤＲＸサイクルにつき一度の割合で（in every Q-th DRX cycle）、残りのセルのグループの各々を、測定に対してスケジューリングすることが可能であり、ここで、Ｑは１よりも大きい。
【００８１】
[0094]  図１０は、ワイヤレス通信をサポートする装置１０００のハードウェア実現の一部を示す。装置１０００は、回路を含み、ユーザエンティティ（例えば、ＵＥ）またはある他のエンティティの一構成でありうる。本明細書および添付の請求項において、「回路」という用語は、機能的な用語としてではなく、構造的な用語として解釈されうる。例えば、回路は、図１０に示され説明されるような処理および／またはメモリセル、ユニット、ブロック、等の形式で、多数の集積回路コンポーネントのような回路コンポーネントの集合体でありうる。
【００８２】
[0095]  装置１０００は、いくつかの回路を互いにリンクする中央データバス（a central data bus）１００２を備える。回路は、１つ以上のプロセッサ１００４、受信回路１００６、送信回路１００８、およびメモリ１０１０を含む。メモリ１０１０は、プロセッサ１００４がメモリ１０１０から情報を読み取り、および／または、それに情報を書き込むことができるように、プロセッサ１００４と電子通信状態（in electronic communication）にある。プロセッサ１００４は、汎用プロセッサ、中央処理装置（ＣＰＵ）、マイクロプロセッサ、デジタルシグナルプロセッサ（ＤＳＰ）、コントローラ、マイクロコントローラ、ステートマシン、特定用途向け集積回路（ＡＳＩＣ）、プログラマブル論理デバイス（ＰＬＤ）、フィールドプログラマブルゲートアレイ（ＦＰＧＡ）、等を備えうる。プロセッサ１００４は、処理デバイスの組み合わせ、例えば、ＤＳＰと１つのマイクロプロセッサとの組み合わせ、複数のマイクロプロセッサ、ＤＳＰコアと連結した１つ以上のマイクロプロセッサ、または、任意の他のこのような構成を含みうる。
【００８３】
[0096]  受信回路１００６および送信回路１００８は、無線周波数（ＲＦ）回路（図１０には示されない）に接続されうる。受信回路１００６は、データバス１００２に信号を送る前に、受信信号を処理し、バッファしうる。送信回路１００８は、装置１０００からデータを送る前に、データバス１００２からのデータを処理し、バッファしうる。プロセッサ１００４は、データバス１００２のデータ管理の機能、さらには、メモリ１０１０の命令コンテンツの実行を含む汎用データ処理の機能を実行しうる。送信回路１００８および受信回路１００６は、プロセッサ１００４に外付けでありうる（図１０には示されるように）か、または、プロセッサ１００４の一部でありうる。
【００８４】
[0097]  メモリ１０１０は、本明細書で説明された方法を実現するために、プロセッサ１００４によって実行可能な命令のセット１０１２を記憶する。命令１０１２は、測定を行うべき複数のセルのグループを決定するためのコード１０１４、セルのグループの各々について測定インターバルを決定するためのコード１０１６、セルのグループの各々内の各セルを、そのグループの測定インターバル内で少なくとも一度測定のためにスケジューリングするためのコード１０１８、および、各グループの測定インターバルに基づいて、複数のセルのグループの測定を行うためのコード１０２０を含みうる。命令１０１２は、他の機能についての他のコードを含みうる。メモリ１０１０に示される命令１０１２は、任意のタイプのコンピュータ可読ステートメントを備えうる。例えば、メモリ１０１０内の命令１０１２は、１つ以上のプログラム、ルーチン、サブルーチン、モジュール、関数、プロシージャ、データセット、等を指しうる。命令１０１２は、単一のコンピュータ可読ステートメント、または多数のコンピュータ可読ステートメントを備えうる。
【００８５】
[0098]  メモリ１０１０は、ＲＡＭ（ランダムアクセスメモリ）回路でありうる。メモリ１０１０は、揮発性または不揮発性のいずれかのタイプでありうる別のメモリ回路（示されない）に結ばれ（tied）うる。代替として、メモリ１０１０は、ＥＥＰＲＯＭ（電気的消去可能なプログラマブル読取専用メモリ）、ＥＰＲＯＭ（電気的プログラマブル読取専用メモリ）、ＲＯＭ（読取専用メモリ）、ＡＳＩＣ（特定用途向け集積回路）、磁気ディスク、光ディスク、および、当技術分野で周知の他のもののような他の回路タイプから構成されうる。メモリ１０１０は、命令１０１２を格納したコンピュータ可読媒体を備えるコンピュータプログラム製品の例であるとみなされうる。
【００８６】
[0099]  本明細書で説明された機能は、ハードウェア、ソフトウェア、ファームウェア、またはそれらの任意の組み合わせで実現されうる。ソフトウェアで実現される場合、これら機能は、コンピュータ可読媒体に１つ以上の命令として記憶されうる。「コンピュータ可読媒体」または「コンピュータプログラム製品」という用語は、コンピュータまたはプロセッサによってアクセスされることができる任意の有形な記憶媒体を指す。限定ではなく例として、コンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、命令またはデータ構造の形式で所望のプログラムコードを記憶するために使用されることができ、かつ、コンピュータによってアクセスされることができる任意の他の媒体を備えうる。ディスク（ｄｉｓｋ）とディスク（ｄｉｓｃ）は、本明細書で使用される場合、コンパクトディスク（ＣＤ）、レーザーディスク（登録商標）、光ディスク、デジタル多用途ディスク（ＤＶＤ）、フロッピー（登録商標）ディスク、ブルーレイ（登録商標）ディスクを含み、ここで、ディスク（ｄｉｓｋ）は通常磁気作用によってデータを再生し、ディスク（ｄｉｓｃ）はレーザーで光学的にデータを再生する。
【００８７】
[00100]  ソフトウェアまたは命令もまた、送信媒体を通じて送信されうる。例えば、ソフトウェアが、同軸ケーブル、光ファイバケーブル、ツイストペア、デジタル加入者回線（ＤＳＬ）、または赤外線、無線、マイクロ波などのワイヤレス技術を用いて、ウェブサイト、サーバ、または他のリモートソースから送信される場合、同軸ケーブル、光ファイバケーブル、ツイストペア、ＤＳＬ、または赤外線、無線、マイクロ波などのワイヤレス技術は、送信媒体の定義に含まれる。
【００８８】
[00101]  本明細書に開示された方法は、説明された方法を達成するための１つ以上のステップまたは動作を備える。方法のステップおよび／または動作は、本願の特許請求の範囲から逸脱せずに、互いに置き換えられうる。換言すると、ステップまたは動作の特定の順序が、説明されている方法の適切な動作に必要とされない限り、特定のステップおよび／または動作の順序および／または使用は、特許請求の範囲から逸脱することなく変更されうる。
【００８９】
[00102]  特許請求の範囲が、上述されたまさにその構成およびコンポーネントに限定されないことは理解されるべきである。特許請求の範囲から逸脱することなく、本明細書に説明されたネットワーク、方法、および装置の、配列、動作、および詳細に対して、様々な変更、変化、および変動がなされうる。
【００９０】
[00103]  どの請求項要素も、その要素が、「〜するための手段」という表現を用いて明確に記載されていない限り、または、方法請求項の場合には、その要素が、「〜するためのステップ」という表現を用いて記載されていない限り、米国特許法第１１２条６項の規定のもとで解釈されるべきではない。
以下に、本願出願の当初の特許請求の範囲に記載された発明を付記する。
［Ｃ１］
ワイヤレス通信のための方法であって、
ユーザエンティティが、測定を行うべき複数のセルのグループを決定することと、ここで、各グループは、少なくとも１つのセルを含み、前記複数のセルのグループは、異なる優先順位を有する、
より高い優先順位のセルのグループがより短い測定インターバルを有する状態で、前記複数のセルのグループの各々の測定インターバルを決定することと、
セルのグループの各々の前記測定インターバルに基づいて前記複数のセルのグループの測定を行うことと
を備える方法。
［Ｃ２］
前記複数のセルのグループは、最も高い優先順位のセルのグループが最も短い測定インターバルを有し、最も低い優先順位のセルのグループが最も長い測定インターバルを有する状態で、異なる測定インターバルを有する、Ｃ１に記載の方法。
［Ｃ３］
セルのグループの各々の前記測定インターバルは、設定可能であり、前記セルのグループのための複数の可能な測定インターバルから選択される、Ｃ１に記載の方法。
［Ｃ４］
測定を行うべきセルの総数を決定することと、
前記測定を行うべきセルの総数、または利用可能な測定時間、あるいは両方に基づいて、セルのグループの数を決定することと
をさらに備える、Ｃ１に記載の方法。
［Ｃ５］
前記複数のセルのグループの各々の前記測定インターバルを前記決定することは、前記測定を行うべきセルの総数、または前記利用可能な測定時間、またはセルのグループの数、あるいはそれらの組み合わせに基づいて、セルのグループの各々について前記測定インターバルを決定することを備える、Ｃ４に記載の方法。
［Ｃ６］
前記測定を行うべきセルの総数、または前記利用可能な測定時間、または前記セルのグループの各々の測定インターバル、あるいはそれらの組み合わせに基づいて、前記複数のセルのグループの各々内の前記セルの数を決定することをさらに備える、Ｃ４に記載の方法。
［Ｃ７］
前記複数のセルのグループを前記決定することは、複数のセルのセットに基づいて前記複数のセルのグループを決定することを備え、各セットは、少なくとも１つのセルを含み、前記セットに加入および離脱するセルの条件に関連付けられる、Ｃ１に記載の方法。
［Ｃ８］
前記複数のセルのグループの各々は、前記複数のセルのセットのうちの１つに対応する、Ｃ７に記載の方法。
［Ｃ９］
前記複数のセルのセットは、受信信号強度が少なくとも１つの条件を満たす第１のセルのセットを含む、Ｃ７に記載の方法。
［Ｃ１０］
前記複数のセルのセットは、受信信号強度が、前記第１のセルのセットに含まれるための前記少なくとも１つの条件を満たさない、第２のセルのセットを含む、Ｃ９に記載の方法。
［Ｃ１１］
前記複数のセルのセットは、前記ユーザエンティティによって検出されたが前記ユーザエンティティによって未だ測定されていない第３のセルのセットを含む、Ｃ１０に記載の方法。
［Ｃ１２］
各セットは、可変数のセルを含み、前記複数のセット内のセルの総数は、セルの所定の最大数に制限される、Ｃ７に記載の方法。
［Ｃ１３］
各セット内のセルの数は、次に低い優先順位のセット内のセルの数以下である、Ｃ７に記載の方法。
［Ｃ１４］
前記複数のセルのグループを前記決定することは、
ソートされた各セット内の前記少なくとも１つのセルが、最も高い優先順位から最も低い優先順位に配列される状態で、前記複数のセルのセットの各々をソートすることと、
前記複数のソートされたセルのセットが、前記リスト内で最も高い優先順位から最も低い優先順位に配列される状態で、前記複数のソートされたセルのセットを有するセルのリストを形成することと、
前記複数のセルのグループを前記セルのリストに基づいて形成することと
を備える、Ｃ７に記載の方法。
［Ｃ１５］
前記複数のセルのグループを前記決定することは、
最も高い優先順位から最も低い優先順位に複数のセルをソートすることと、
最も高い優先順位のグループから開始して一度につき１グループを形成するように、前記ソートされた複数のセルに基づいて、前記複数のセルのグループを形成することと、
を備える、Ｃ１に記載の方法。
［Ｃ１６］
測定のために、セルのグループの各々内の各セルを、前記セルのグループの前記測定インターバル内に少なくとも一度、スケジューリングすることをさらに備える、Ｃ１に記載の方法。
［Ｃ１７］
所定の量未満の基準信号を有するサブフレームではなく、少なくとも前記所定の量の基準信号を有するサブフレームにおいて、前記複数のセルのグループを、測定のためにスケジューリングすることをさらに備える、Ｃ１に記載の方法。
［Ｃ１８］
前記ユーザエンティティがＤＲＸモードで動作する場合に、不連続受信（ＤＲＸ）サイクルの各々で、前記複数のセルのグループの中で最も高い優先順位のセルのグループを、測定のためにスケジューリングすることと、
前記ユーザエンティティが前記ＤＲＸモードで動作する場合に、ＤＲＸサイクルの各々でよりも低い頻度で、前記複数のセルのグループの中の残りのセルのグループの各々を、測定のためにスケジューリングすることと
をさらに備える、Ｃ１に記載の方法。
［Ｃ１９］
ワイヤレス通信のための装置であって、
ユーザエンティティによって測定を行うべき複数のセルのグループを決定するための手段と、ここで、各グループは、少なくとも１つのセルを含み、前記複数のセルのグループは、異なる優先順位を有する、
より高い優先順位のセルのグループがより短い測定インターバルを有する状態で、前記複数のセルのグループの各々の測定インターバルを決定するための手段と、
セルのグループの各々についての前記測定インターバルに基づいて、前記複数のセルのグループについて測定を行うための手段と
を備える、装置。
［Ｃ２０］
前記複数のセルのグループは、最も高い優先順位のセルのグループが最も短い測定インターバルを有し、最も低い優先順位のセルのグループが最も長い測定インターバルを有する状態で、異なる測定インターバルを有する、Ｃ１９に記載の装置。
［Ｃ２１］
測定を行うべきセルの総数を決定するための手段と、
前記測定を行うべきセルの総数、または、利用可能な測定時間、あるいは両方に基づいて、セルのグループの数を決定するための手段と
をさらに備える、Ｃ１９に記載の装置。
［Ｃ２２］
前記測定を行うべきセルの総数、または前記利用可能な測定時間、またはセルのグループの各々の前記測定インターバル、あるいはそれらの組み合わせに基づいて、前記複数のセルのグループの各々における前記セルの数を決定するための手段をさらに備える、Ｃ２１に記載の装置。
［Ｃ２３］
前記複数のセルのグループを前記決定するための手段は、複数のセルのセットに基づいて前記複数のセルのグループを決定するための手段を備え、各セットは、少なくとも１つのセルを含み、前記セットに加入および離脱するセルの条件に関連付けられる、Ｃ１９に記載の装置。
［Ｃ２４］
前記複数のセルのグループを前記決定するための手段は、
ソートされた各セット内の前記少なくとも１つのセルが、最も高い優先順位から最も低い優先順位に配列される状態で、前記複数のセルのセットの各々をソートするための手段と、
前記複数のソートされたセルのセットが、前記リスト内で最も高い優先順位から最も低い優先順位に配列される状態で、前記複数のソートされたセルのセットを有するセルのリストを形成するための手段と、
前記セルのリストに基づいて、前記複数のセルのグループを形成するための手段と
を備える、Ｃ２３に記載の装置。
［Ｃ２５］
前記複数のセルのグループを前記決定するための手段は、
最も高い優先順位から最も低い優先順位に複数のセルをソートするための手段と、
最も高い優先順位のグループから開始して一度に１グループを形成するように、前記ソートされた複数のセルに基づいて、前記複数のセルのグループを形成するための手段と
を備える、Ｃ１９に記載の装置。
［Ｃ２６］
ワイヤレス通信のための装置であって、
ユーザエンティティにより測定を行うべき複数のセルのグループを決定することと、ここで、各グループは、少なくとも１つのセルを含み、前記複数のセルのグループは、異なる優先順位を有する、
より高い優先順位のセルのグループがより短い測定インターバルを有する状態で、前記複数のセルのグループの各々の測定インターバルを決定することと、
セルのグループの各々についての前記測定インターバルに基づいて、前記複数のセルのグループについて測定を行うことと
を行うように構成された回路
を備える、装置。
［Ｃ２７］
前記複数のセルのグループは、最も高い優先順位のセルのグループが最も短い測定インターバルを有し、最も低い優先順位のセルのグループが最も長い測定インターバルを有する状態で、異なる測定インターバルを有する、Ｃ２６に記載の装置。
［Ｃ２８］
前記回路は、
測定を行うべきセルの総数を決定することと、
前記測定を行うべきセルの総数、または利用可能な測定時間、あるいは両方に基づいて、セルのグループの数を決定することと
を行うように構成される、Ｃ２６に記載の装置。
［Ｃ２９］
少なくとも１つのプロセッサは、前記測定を行うべきセルの総数、または利用可能な測定時間、または前記セルのグループの各々の測定インターバル、あるいはそれらの組み合わせに基づいて、前記複数のセルのグループの各々における前記セルの数を決定するように構成される、Ｃ２８に記載の装置。
［Ｃ３０］
前記回路は、複数のセルのセットに基づいて、前記複数のセルのグループを決定するように構成され、各セットは、少なくとも１つのセルを含み、前記セットに加入および離脱するセルの条件に関連付けられる、Ｃ２６に記載の装置。
［Ｃ３１］
前記回路は、
各々のソートされたセット内の前記少なくとも１つのセルが、最も高い優先順位から最も低い優先順位に配列される状態で、前記複数のセルのセットの各々をソートすることと、
前記複数のソートされたセルのセットが、前記リスト内で最も高い優先順位から最も低い優先順位に配列される状態で、前記複数のソートされたセルのセットを有するセルのリストを形成することと、
前記セルのリストに基づいて前記複数のセルのグループを形成することと
を行うように構成される、Ｃ３０に記載の装置。
［Ｃ３２］
前記回路は、
最も高い優先順位から最も低い優先順位に複数のセルをソートすることと、
最も高い優先順位のグループから開始して一度に１グループを形成するように、前記ソートされた複数のセルに基づいて、前記複数のセルのグループを形成することと
を行うように構成される、Ｃ２６に記載の装置。
［Ｃ３３］
非一時的なコンピュータ可読媒体を備えるコンピュータプログラム製品であって、前記非一時的なコンピュータ可読媒体は、
少なくとも１つのコンピュータに、ユーザエンティティにより測定を行うべき複数のセルのグループを決定させるためのコードと、ここで、各グループは、少なくとも１つのセルを含み、前記複数のセルのグループは、異なる優先順位を有する、
前記少なくとも１つのコンピュータに、より高い優先順位セルのグループがより短い測定インターバルを有する状態で、前記複数のセルのグループの各々の測定インターバルを決定させるためのコードと、
前記少なくとも１つのコンピュータに、セルのグループの各々の前記測定インターバルに基づいて、前記複数のセルのグループについて測定を行わせるためのコードと
を備える、コンピュータプログラム製品。
【図１】
0005795451.tif 000005
【図２】
0005795451.tif 000006
【図３Ａ】
0005795451.tif 000007
【図３Ｂ】
0005795451.tif 000008
【図４】
0005795451.tif 000009
【図５】
0005795451.tif 000010
【図６】
0005795451.tif 000011
【図７Ａ】
0005795451.tif 000012
【図７Ｂ】
0005795451.tif 000013
【図７Ｃ】
0005795451.tif 000014
【図８Ａ】
0005795451.tif 000015
【図８Ｂ】
0005795451.tif 000016
【図８Ｃ】
0005795451.tif 000017
【図９】
0005795451.tif 000018
【図１０】
0005795451.tif 000019